Podtech/llm-jp-corpus-v4-ja_patent huggingface dataset:
(57)【要約】      （修正有）【課題】被覆電線端部の被覆部を取り除いた撚り線部分の断面形状を、素早く、円柱状に形成し、銅線を銅管スリーブを挿入し易くする撚り電線の整線器を開発・提供する。【解決手段】表面に防滑手段（Ａ）を設け、一端に、撚り線（Ｘ）の挿入口（２）を形成した本体（１）を設け、該本体（１）の挿入口（２）に続く内部は、先に向かうに従って狭くなるテーパ状の穴を形成し、該穴の内壁には、挿入する撚り線（Ｘ）の径により異なる段部（４）を一又は複数形成し、かつ、テーパ状の穴には、断面がコ字状の接触金具（５）を設けたことを特徴とする撚り電線の整線器であり、本体（１）の底部には、そのままか、あるいは底部に突起部を設け、該突起部に、携帯用の紐穴を設け、また、本体（１）の挿入口（２）付近には、回転方向を示す矢印を設けるものである。【選択図】図４
0003116726.tif 000002
【実用新案登録請求の範囲】
【請求項１】
表面に防滑手段（Ａ）を設け、一端に、撚り線（Ｘ）の挿入口（２）を形成した本体（１）を設け、該本体（１）の挿入口（２）に続く内部は、先に向かうに従って狭くなるテーパ状の穴（３）を形成し、該穴（３）の内壁には、挿入する撚り線（Ｘ）の径により異なる段部（４）を一又は複数形成し、かつ、テーパ状の穴（３）には、断面がコ字状の接触金具（５）を設けたことを特徴とする撚り電線の整線器。
【考案の詳細な説明】
【技術分野】
【０００１】
この考案は、撚り電線の整線器に関するものである。
【背景技術】
【０００２】
従来、撚り電線を接合する場合には、被覆電線端部より一定の幅寸法の被覆部を取り除き、露出した銅線を、銅管スリーブに差し込み、これら銅線と銅管スリーブとを油圧工具等を用いて圧着するものである。
【０００３】
しかし、被覆電線端部より一定の幅寸法の被覆部を取り除き、露出した銅線は、撚り線部分がバラけて各銅線がラッパ状に開いたり、撚り線部分がバラけなくても断面形状が楕円状に潰れた状態となり、これらの状態の銅線では、円筒状の銅管スリーブには挿入し難くなり、その撚り線部分を円柱状に形成する作業に、結構、時間を要し煩雑であった。
【考案の開示】
【考案が解決しようとする課題】
【０００４】
そこで、この考案は、被覆電線端部の被覆部を取り除いた撚り線部分の断面形状を、素早く、円柱状に形成し、銅線を銅管スリーブを挿入し易くする撚り電線の整線器を開発・提供することにある。
【課題を解決するための手段】
【０００５】
この考案は、被覆電線のそれぞれ端部の、それぞれ露出した銅線に銅管スリーブを嵌挿して圧縮器でカシメて、それらの外周面をスリーブジョイントコネクターで一体に覆い、ビス止めし、その外周を絶縁体素材からなる被覆体で覆うことを特徴とする被覆電線の接合構造である。
【考案の効果】
【０００６】
この考案によると、バラケた撚り線（Ｘ）あるいは断面が楕円形になった撚り線（Ｘ）を、本体（１）の挿入口（２）より挿入し、被覆電線の部分を握持し、本体（１）を回転させることにより、テーパ状の穴（３）内に設けた断面がコ字状の接触金具（５）に前記撚り線（Ｘ）が接触しながら、回転させることにより、撚り線が断面円形状にまとまり、銅管スリーブに挿入し易くなり、作業能率の向上が図れ、工期の短縮により作業コストの低減が期待できる。
【０００７】
また、本体（１）の素材は、合成樹脂等の非通電性素材で形成することにより、感電等の恐れがない。
【０００８】
そして、本体（１）に、携帯用の紐穴（６）を設けたことにより、該紐穴に、ひもやロープを介して、作業員の人体と結束しておくことにより、必要時に、瞬時に、取り出し利用できる。
【０００９】
更に、本体（１）の挿入口（２）付近には、回転方向を示す矢印（７）を設けることにより、本体（１）の回転させる方向を一目瞭然で判断でき、作業性の向上が図れる。
【考案を実施するための最良の形態】
【００１０】
この考案は、被覆電線のそれぞれ端部の、露出した銅線を銅管スリーブを嵌挿しやすい形状に簡単な器具で簡単な操作でできる撚り電線の整線器である。
【実施例】
【００１１】
次に、この考案の一実施例を図面に従って詳述すると、表面に防滑手段（Ａ）を設け、一端に、撚り線（Ｘ）の挿入口（２）を形成した本体（１）を設け、該本体（１）の挿入口（２）に続く内部は、先に向かうに従って狭くなるテーパ状の穴（３）を形成し、該穴（３）の内壁には、挿入する撚り線（Ｘ）の径により異なる段部（４）を一又は複数形成し、かつ、テーパ状の穴（３）には、断面がコ字状の接触金具（５）を設けたことを特徴とする撚り電線の整線器より構成される。
【００１２】
尚、本体（１）の素材は、合成樹脂等の非導電性素材であり、また、本体（１）の作成手段は、特に、問わないが、その一例として、略カップ状の本体（１）を設け、該本体（２）の挿入口（２）よりテーパ状の穴（３）に続く部分は、半割りの部品をそれぞれ設け、内部で半分づつを、断面がコ字状の接触金具（５）を挟んで合体させて挿入して構成してもよい。
【００１３】
また、防滑手段（Ａ）の一例として図面では、本体（１）の全周に適当間隔置きに凹溝を形成したものを図示しているが、これに限定されることはなく、例えば、全周に滑り止め効果のあるイボイボを形成したものであってもよく、特に限定はしない。
【００１４】
また、本体（１）の底部には、そのまま紐あな設けるか、あるいは底部に突起部を設け、該突起部に、携帯用の紐穴（６）を設けるよう構成してもよい。
【００１５】
そして、本体（１）の挿入口（２）付近には、回転方向を示す矢印（７）を設けることにより、視認でき、作業中に素早く、回転させる方向を判別できるものである。
【００１６】
また、撚り電線（Ｘ）の径が、８〜２２ｍｍ、２２〜６０ｍｍ、そして１００〜２００ｍｍまでの三種類に区分わけすると、各段部（４）は、テーパ状の穴（３）内で、それらの径に適合する径ごとに設けたものであることが望ましい。
【産業上の利用可能性】
【００１７】
この考案に係る、撚り電線の整線器の製造技術を開発し、この撚り電線の整線器を大量に製造・販売することにより、産業上の利用可能性を有する。
【図面の簡単な説明】
【００１８】
【図１】この考案の一実施例を示す側面図である。
【図２】この考案の一実施例を示す正面図である。
【図３】この考案の一実施例を示す図１中ａ−ａ断面図である。
【図４】この考案の一実施例を示す図２中ｂ−ｂ断面図である。
【符号の説明】
【００１９】
１  本体
２  挿入口
３  テーパ状の穴
４  段部
５  接触金具
６  携帯用の紐穴
７  回転方向を示す矢印
Ａ  防滑手段
Ｘ  撚り電線
【図１】
0003116726.tif 000003
【図２】
0003116726.tif 000004
【図３】
0003116726.tif 000005
【図４】
0003116726.tif 000006
(57)【要約】      （修正有）【課題】ゼムクリップは、綴じた書類等から簡単に離脱してしまうため、離脱し難くなるように改良する。【解決手段】ゼムクリップは、平坦な形状で巻加工が施されているため、綴じ込む書類等を確りと押さえ込めないため内巻きの末端部を、綴じ込んだ書類等を押さえ込む方向に少し曲げ加工を施してやる事で、綴じ込んだ書類等から離脱し難くなる。【選択図】図２
0003116767.tif 000002
【実用新案登録請求の範囲】
【請求項１】
従来から数多く使用されてきた事務用のゼムクリップの、内巻側の末端部に綴じ込んだ書類等を、ゼムクリップの端部が押さえ込むように、末端から３ミリ前後の位置に、角度で１５度程度曲げ押し加工を施して、綴じ込んだ書類等を強く押さえ込むことで、簡単に脱落しないようにした、ゼムクリップの構造。
【考案の詳細な説明】
【技術分野】
【０００１】  本考案は、従来より事務用によく使用しているゼムクリップに関するものである。
【背景技術】
【０００２】  従来より長年使用されてきた事務用のゼムクリップは、書類等を整理してゼムクリップを以って綴じ込んでも、綴じ込んだ書類等をかたずけるために整理している時、知らない間に、ゼムクリップが書類等から脱落していて、書類等がばらばらになることをよく経験させられた。特に、綴じ込む書類等の枚数が少ない時等によく発生した。
【考案の開示】
【考案が解決しようとする課題】
【０００３】  書類等を整理して、ゼムクリップで綴じ込んだ書類等を、多人数の会議用に作成した時等によく経験する。このような綴じ込んだ書類等を、ゼムクリップの書類等からの脱落によって、書類等がばらばらになる事を、出来る限り無くす事を目的とすることにある。
【課題を解決するための手段】
【０００４】  従来より、多く使用されてきたゼムクリップに於いて、ゼムクリップの加工方法に問題があって、綴じ込んだ書類等から脱落し易いのであり、その原因を取り除けばいいのであるが、線材を平坦に巻き込んであるだけのため、書類等を綴じ込む圧力が乏しいために脱落し易いのである。【０００５】  線材を平坦に巻き込んだゼムクリップの一部分に、書類等を綴じ込んだ時、書類等が滑り難い形状の変化を加えた加工を設けてやる事で、綴じ込んだ書類等から、ゼムクリップが脱落し難くなり、綴じ込んだ書類等の取り扱いが楽になる。【０００６】  綴じ込んだ書類から、ゼムクリップが簡単に脱落させないために、線材を平坦に巻き込んだ内側末端部の、末端部から３ミリ前後の位置で、角度にして１５度前後の曲げ押し加工を施すことで、綴じ込んだ書類等を確りと押さえ込むことで、ゼムクリップの脱落は少なくなる。【０００７】  ゼムクリップの内側末端部の曲げ押し加工で、曲げ押し加工の方向については、書類等を綴じた時に、書類面を確り押さえ込む方向であれば、どちらの方向から曲げ押し加工を施しても構わないが、ゼムクリップを使用する側からすれば、どちらか一方に決めて、曲げ押し加工を行った方が合理的である。
【考案の効果】
【０００８】  本考案を施したゼムクリップで書類等を綴じ込んだ時、ゼムクリップの曲げ押し加工部先端が、綴じ込んだ書類面を確りと押さえ込んで、簡単に書類から脱落することはない。これはゼムクリップの曲げ押し加工に依って、内側末端部先端が１５度前後の角度で、書類面を押さえ込んでいるからである。
【考案を実施するための最良の形態】
【０００９】  図面を以って説明すると、図１にあるように線材を平坦に巻き込んだ、現在使用しているゼムクリップを、図２での本考案によるゼムクリップの、書類等押さえ込み部１の延長上の曲げ押し部３を設ける事で、書類等を綴じ込んだときに、書類面に書類等押さえ込み部１に、大きな押さえ圧力が加えられる。
【実施例】
【００１０】  以上の如くに加工されたゼムクリップを、図３の如くに書類等２を図２のゼムクリップで綴じ込むことで、ゼムクリップの曲げ押し部３の書類等押さえ込み部１が書類等２を強く押さえ込んで、書類等２から簡単には脱落しない。【００１１】  又、綴じ込んだ書類等２から、本考案によるゼムクリップを外す場合があるが、その時は図３のゼムクリップの取り外し説明の矢印４のように、下方のアール部分を左右どちらかの方向に、回転させれば楽に外す事ができる。
【図面の簡単な説明】
【００１２】
【図１】  現在使用中のゼムクリップの平面図と右側面図。
【図２】  本考案を設けたゼムクリップの平面図と右側面図。
【図３】  本考案を設けたゼムクリップの使用図の一部で平面図と右側面図。
【符号の説明】
【００１３】  １  書類等押さえ込み部。
２  書類等。
３  曲げ押し部。
４  ゼムクリップの取り外し説明の矢印。
【図１】
0003116767.tif 000003
【図２】
0003116767.tif 000004
【図３】
0003116767.tif 000005
【手続補正書】
【提出日】平成17年6月13日(2005.6.13)
【手続補正１】
【補正対象書類名】実用新案登録請求の範囲
【補正対象項目名】全文
【補正方法】変更
【補正の内容】
【実用新案登録請求の範囲】
【請求項１】
現在も多く使用されているゼムクリップの、内巻側の末端部に綴じ込んだ書類等を、ゼムクリップの端部が押さえ込むように、末端から３ミリ前後の位置に、角度で１５度程度曲げ押し加工を施して、綴じ込んだ書類等を強く押さえ込むことで、簡単に脱落しないようにした、ゼムクリップの構造。
【手続補正書】
【提出日】平成17年8月12日(2005.8.12)
【手続補正１】
【補正対象書類名】実用新案登録請求の範囲
【補正対象項目名】全文
【補正方法】変更
【補正の内容】
【実用新案登録請求の範囲】
【請求項１】
ゼムクリップの、内巻側の末端部に綴じ込んだ書類等を、ゼムクリップの端部が押さえ込むように、末端から３ミリ前後の位置に、角度で１５度程度曲げ押し加工を施して、綴じ込んだ書類等を強く押さえ込むことで、簡単に脱落しないようにした、ゼムクリップの構造。
(57)【要約】【課題】  マガジンに収納された基板の撓みを矯正して発塵を抑制し、かつ狭ピッチでの積み上げを可能にする。【解決手段】  櫛歯状枠体の櫛歯先端を基板外周より長くして、その部分にもスペーサを配置し４辺全周で枠体を支持する。サポートピンを基板中央部に設け、基板の撓みを矯正する。【選択図】  図３
0003116768.tif 000002
【実用新案登録請求の範囲】
【請求項１】
基板を保持する櫛歯形アンダーレイにおいて、櫛歯先端を基板外周より長く形成し、その突出した部分にもスペーサを配置して、４辺全周で載置された平面から枠体を介して基板を担架する基板アンダーレイ。
【請求項２】
基板を点支持するサポート手段を中間の櫛歯にも配置し、基板の撓みを矯正する基板アンダーレイ。
【考案の詳細な説明】
【考案の詳細な説明】
【考案が解決しようとする課題】
【０００１】  マガジンに収納されたガラス基板・プリント回路基板・四角形板等は、中央部に支持する手段が無く、自重により中央部が撓んで垂れ下がる。そのため、支持部とずれを生じて摩擦し発塵する。
【０００２】  加えて、ロボットハンドに装着するに際して、上下にある基板の間隔を大きくしなければロボットハンドの挿入が出来ず、また、ハンドを上昇させて平面に戻すに際して、ずれを生じて摩擦し発塵する。撓みを少なくし、発塵を抑制する担架方法が求められる。
【課題を解決するための手段】
【０００３】  マガジンを廃止し、櫛歯形状の枠体に配置したスペーサにより積み上げ可能なアンダーレイに変更する。枠体の櫛歯は、基板外周より長く形成し、その突出部にもスペーサを配置して、４辺全周で枠体を支持する。
【０００４】  枠体には基板を位置決めする機能として、位置決めピン・吸着溝・案内板等が設けられるが、サポートピンあるいは吸着パッドのような点支持による場合、中間櫛歯にもこれを配置して基板中央部を支持し撓みを矯正する。
【０００５】  スペーサは材質を硬質材料ピン・セラミクスピン・超高分子プラスチクスピン等の摩耗し発塵することが無い素材を用いる。
【考案の効果】
【０００６】  この考案によるアンダーレイを用いれば、撓みが矯正されるので積み上げピッチを小さく出来、多数枚の収納が可能になる。撓みが少なくなると発塵が抑制でき、載置時の垂れ下がりによる発塵とロボットハンドによる持ち上げ時の発塵が抑制される。
【０００７】  アンダーレイはマガジンに比し、分解された状態で同様の機能を果たし、洗浄が容易であるので、高度な清浄環境を低コストで保ち得る。
【０００８】  ロボットハンドやコンベアにより枠体をハンドリングすれば、脆弱なガラス基板を直接ハンドリングする際のかけや汚染やマーキングの危険が回避でき、工程安全度が高くなる。
【図面の簡単な説明】
【図１】２本指ハンドに対するアンダーレイの平面図と側面図
【図２】積み上げ時の側面図。
【図３】３本指ハンドに対するアンダーレイの平面図。
【符号の説明】
１  ３本歯枠体
２  スペーサ
３  サポートピン
４  基板
５  ２本指ハンド
６  ４本歯枠体
７  ３本指ハンド
【図１】
0003116768.tif 000003
【図２】
0003116768.tif 000004
【図３】
0003116768.tif 000005
【手続補正書】
【提出日】平成17年8月19日(2005.8.19)
【手続補正１】
【補正対象書類名】実用新案登録請求の範囲
【補正対象項目名】全文
【補正方法】変更
【補正の内容】
【実用新案登録請求の範囲】
【請求項１】
基板を水平姿勢で保持するアンダーレイにおいて、支持ピンをマトリクス状に配置して、その支持ピン高さをロボットハンドの厚さ寸法に撓みを考慮した隙間を加えた高さに設定することにより、４辺の４方向から基板を挿入しあるいは取り出すことを特徴とする基板アンダーレイ。
【手続補正２】
【補正対象書類名】明細書
【補正対象項目名】全文
【補正方法】変更
【補正の内容】
【考案の詳細な説明】
【考案の詳細な説明】
【考案が解決しようとする課題】
【０００１】  マガジンに収納されたガラス基板・プリント回路基板・四角形板等は、中央部を支持する有効な手段が無く、自重により中央部から出口部にかけて大きく撓んで垂れ下がる。そのため、支持部とずれを生じて摩擦し発塵する。
【０００２】  加えて、ロボットハンドに装着するに際して、上下にある基板の間隔を大きくしなければロボットハンドの挿入が出来ず、また、ハンドを上昇させて平面に戻すに際して、ずれを生じて摩擦し発塵する。撓みを少なくし、発塵を抑制する担架方法が求められる。
【課題を解決するための手段】
【０００３】  マガジンを廃止し、マトリクス状に支持ピンを配置したアンダーレイ基板を支持し、４辺に配置したスペーサにより積み上げ可能なアンダーレイに変更する。スペーサには硬質な素材を用い、４辺全周でベース板を支持する。
【０００４】  ベース板には基板を位置決めする機能として、位置決めピン・吸着装置・案内板等が設けられるが、支持ピンあるいは吸着パッドのような点支持による場合、マトリクス状にこれを配置して基板中央部を支持し撓みを矯正する。
【０００５】  清浄環境での使用に際しては、スペーサは材質を硬質材料ピン・セラミクスピン・超高分子プラスチクスピン等の摩耗し発塵することが無い素材を用いる。
【考案の効果】
【０００６】  この考案によるアンダーレイを用いれば、撓みが矯正されるので積み上げピッチを小さく出来、多数枚の収納が可能になり、工場面積が小さく出来る。撓みが少なくなると発塵が抑制でき、載置時の垂れ下がりによる発塵とロボットハンドによる持ち上げ時の発塵が抑制される。
【０００７】  周囲の４辺のスペーサと基板を支持する支持ピンマトリクス状に関連付けて配置することにより、４方向いずれからもロボットハンドによる基板の供給と排出が行え、ラインの編成自由度を高められる。
【０００８】アンダーレイはマガジンに比し、分離して洗浄が容易に行えるので、高度な清浄環境を低コストで保ち得る。
【０００９】  ロボットハンドやコンベアにより枠体をハンドリングすれば、脆弱なガラス基板を直接ハンドリングする際のかけや汚染やマーキングの危険が回避でき、工程安全度が高くなる。
【図面の簡単な説明】
【図１】２本指ハンドに対するアンダーレイの平面図と側面図
【図２】積み上げ時の側面図。
【図３】３本指ハンドに対するアンダーレイの平面図。
【符号の説明】
１  ベース板
２  スペーサ
３  支持ピン
４  基板
５  ２本指ハンド
６  ベース板
７  ３本指ハンド
(57)【要約】【課題】現在、自動車用の補助電源供給設備は既に提案されているが、オートバイには、補助電源設備がない。そこでオートバイに乗車中オートバイのバッテリー電源を用いて、一部の電気機器にも使用可能な補助電源供給設備、直流１００Ｖ用コンセントの設備を提供すること。【解決手段】オートバイの本体にあるオートバイのバッテリー電源よりＤＣ−ＡＣインバーターに通すことによりＤＣ１２Ｖを交流ＡＣ１００Ｖに変換し、交流１００Ｖコンセントの補助電源供給設備を荷物収納スペース内等に設ける事により一部の電気機器や携帯電話を購入時に付属する交流ＡＣ１００Ｖ用充電器の使用ができる様になる。【選択図】  図１
0003116769.tif 000002
【実用新案登録請求の範囲】
【請求項１】
オートバイに設ける荷物収納スペース等を利用し、オートバイ本体のバッテリー電源、直流１２ＶをＤＣ−ＡＣインバーターに通すことにより直流１００Ｖに変換した電源をオートバイの本体に直流１００Ｖ用コンセントの補助電源供給設備を設置するのが特徴。
【考案の詳細な説明】
【技術分野】
【０００１】本考案は、オートバイのバッテリー電源を流用しオートバイに交流１００Ｖ電源コンセントの補助電源供給設備の設備に関するものである。
【背景技術】
【０００２】オートバイでの補助電源供給設備がなかった為、例として出先で携帯電話のバッテリーの充電が切れた際には、オートバイで使用のできる充電機器は無く、予備の携帯電話バッテリーを携帯し交換するか、主に一般家庭に供給されている交流１００Ｖ電源による屋内での充電方法しかなかった。
【考案の開示】
【考案が解決しようとする課題】
【０００３】例としてオートバイでの出先で携帯電話のバッテリーが切れた際、予備の携帯電話バッテリーを携帯し交換する手段においては高価なバッテリーを購入する事であって経済的負担も大きく、携帯電話の機種を交換した際にはバッテリー型式も異なれば使用できない為、実用的とは言えない。
【課題を解決する為の手段】
【０００４】本考案は、オートバイ本体のバッテリー直流１２Ｖ電源と市販されているＤＣ−ＡＣインバーターの構造を改良しオートバイ本体に直流１００Ｖの電源供給コンセントを設けることにより乗車中にも携帯電話の購入時に付属する交流ＡＣ１００Ｖ用充電器を使用し携帯電話への充電が可能になる他、一部の直流１００Ｖを供給源とする電気機器の使用をも可能とする。
【考案の効果】
【０００５】例としてオートバイでの外出時に携帯電話のバッテリー充電量を気にすることなく携帯電話の使用ができ、充電供給源の心配もなく、携帯電話のバッテリーの予備も携帯する必要もなく経済的負担も減り、携帯電話購入時付属する交流ＡＣ１００Ｖ用充電器が使用できる為、携帯電話の機種を変更した際にも携帯電話の充電器を改めて買い替える必要もなく経済的且つ実用的な物の電源供給設備であり、自然災害時等で活躍をするオートバイと携帯電話の合理化が達成する。他一部の直流１００Ｖを供給源とする電気機器の使用をも可能となる。
【考案を実施する為の最良の形態】
【０００６】携帯電話且つ電気製品は水や湿気に弱い為、補助電源供給設備は耐水処置を行い、オートバイ本体の設けられている荷物など収納するトランク等の防水設備の施してある場所に補助電源供給設備、交流１００Ｖコンセントを設け、その中で一部の直流１００Ｖを供給源とする電気機器の使用をおこなえるように補助電源供給設備をもうける。
【実施例】
【０００７】以下、添付図面に従って一実施例を説明する。オートバイ本体（１）（この構造は本考案の範囲内でないため省略する）に設置されている（４）バッテリーからの電源ＤＣ１２Ｖを（６）（１０）配線を伝って（９）ヒューズを通り（５）ＤＣ−ＡＣインバーターに通すことによってＡＣ１００Ｖに変換された電源を（１１）（１２）配線から（３）や（８）のトランクスペース内に（７）１００Ｖコンセントを設けることにより防水処置の整った中で携帯電話等の充電などの使用が可能になる。
【図面の簡単な説明】
【０００８】
【図１】本考案のオートバイ設置の一実施例であり一部切欠断図面である。
【図２】本考案のオートバイ設置への一実施例の配線図である。
【符号の説明】
【０００９】  １  オートバイ本体
２  シート
３  後トランク
４  バッテリー
５  ＤＣ−ＡＣインバーター
６  配線
７  １００Ｖコンセント
８  前トランク
９  ヒューズ
１０  配線
１１  配線
１２  配線
【図１】
0003116769.tif 000003
【図２】
0003116769.tif 000004
【手続補正書】
【提出日】平成17年8月25日(2005.8.25)
【手続補正１】
【補正対象書類名】実用新案登録請求の範囲
【補正対象項目名】請求項１
【補正方法】変更
【補正の内容】
【請求項１】
オートバイの荷物収納スペースに、オートバイ本体のバッテリー電源をＤＣ−ＡＣインバーターに通し直流電源をオートバイの本体に供給する補助電源供給設備を設置したことを特徴としたオートバイ。
【手続補正３】
【補正対象書類名】明細書
【補正対象項目名】０００６
【補正方法】変更
【補正の内容】
【０００６】オートバイの荷物収納スペースに、オートバイ本体のバッテリー電源をＤＣ−ＡＣインバーターに通し直流電源をオートバイの本体に供給する補助電源供給設備を設置したことを特徴としたオートバイ。
【手続補正４】
【補正対象書類名】明細書
【補正対象項目名】０００７
【補正方法】変更
【補正の内容】
【０００７】以下、添付図面に従って一実施例を説明する。オートバイ本体（１）（この構造は本考案の範囲内でないため省略する）に設置されているバッテリー（４）からの電源ＤＣ１２Ｖを配線（６）（１０）を伝ってヒューズ（９）を通りＤＣ−ＡＣインバーター（５）に通すことによってＡＣ１００Ｖに変換された電源を配線（１１）（１２）からトランクスペース内（３）や（８）に１００Ｖコンセント（７）を設けることにより防水処置の整った中で携帯電話等の充電などの使用が可能になる。
(57)【要約】【課題】  経済的に安価で効果的に消臭機能を発揮できる作業用上衣の提供。【解決手段】  胸ポケットや脇ポケットなどの裏布袋体を消臭布片を使用し、該消臭布片の合計が１３０ｃｍ２〜２０００ｃｍ２となるようにする。このさい、左右脇下付近にも設けたりするのであり、その一片の大きさは凡そ６０ｃｍ２〜１０００ｃｍ２にする。【選択図】      図１
0003116707.tif 000002
【実用新案登録請求の範囲】
【請求項１】
胸ポケットや脇ポケットなどの裏布袋体を消臭布片を使用し、該消臭布片の合計が１３０ｃｍ２〜２０００ｃｍ２としたことを特徴とする作業用上衣。
【請求項２】
左右脇下付近に凡そ６０ｃｍ２〜１０００ｃｍ２の消臭布片を縫着させたことを特徴とする請求項１記載の作業用上衣。
【考案の詳細な説明】
【技術分野】
【０００１】
本考案は専ら労働者が着用する作業用上衣に関する。
【背景技術】
【０００２】
作業中は身体の安全上から着衣を余儀なくされるが、夏場はとりわけ汗等の分解臭が発生する不快臭の付着で不快な思いをさせられることが多発する。
【特許文献１】実用新案登録第３１０９７２５号
【考案の開示】
【考案が解決しようとする課題】
【０００３】
上記の如き悪臭を防ぐため、消臭機能を有する服地を使用した作業用上衣の提案は既になされているが、全体的な使用のためにコスト高となっているのが現状である。本考案は上記の点に鑑み、消臭布片をピンポイント的な使用構成にして、問題点の解決を図らんとするものである。
【課題を解決するための手段】
【０００４】
本考案は作業衣に於ける胸ポケットや脇ポケットなどの裏布袋体を消臭布片で構成するのであり、その他には左右脇下付近に対し一定大きさの消臭布片を縫着させるのであり、これら消臭布片の全体的な面積合計は１３０ｃｍ２〜２０００ｃｍ２となるようにする。
【考案の効果】
【０００５】
胸ポケットや脇ポケットは作業用上衣には必須のものであり、しかもこれらポケットの布袋は比較的大きな寸法のものに作成されるのであり、将又胸部や腹部側の全面へ分散的に配置構成されることから、該構成の特徴を生かして経済的に安価で、且つ効率の良い消臭作用効果の得られる作業用上衣となるのである。このさい、消臭作用をより効果的にするためには両脇下箇所に対して一定大きさの消臭布片を縫着させたり、同様布片による背面側へ背当てを取付けたりするのであるが、これら消臭布片は一片当たりの大きさを凡そ６０ｃｍ２〜１０００ｃｍ２となしたものが取扱いや縫着に優れるのであり、そしてこれら全体面積を含めて本考案では１３０ｃｍ２〜２０００ｃｍ２の範囲で設定する。
【考案を実施するための最良の形態】
【０００６】
図１は本考案に係る作業用上衣の概略説明図である。ここに１は胸ポケット、２は両脇ポケットであって、本考案では上記各ポケットに於ける裏布全体（図示一点鎖線）に消臭機能を有する消臭布片ｐを使用する。また、必要に応じて両脇下箇所３へ消臭布片ｐを縫着したり、或いは背中部に対し同様の背当て布を取付けたりする。
【０００７】
上記消臭布片ｐは一片当たりの大きさを凡そ６０ｃｍ２〜１０００ｃｍ２となされるのである。ここで消臭機能を有する布片とは、（社）織物評価技術協議会が定める方法によるアンモニアガスの初発濃度１００ｐｐｍにて、２時間後のガス減少率が７０％以上あるものとするのであり、当該布地片としては一般的に消臭剤を練り込んだ繊維や糸を一部若しくは全部使用して作成される織物、編物、不織布などであるが、とりわけセルローズ繊維にメタクリル酸をグラフト共重合反応させた改質繊維で織成させたもの（デオロン商標名）の使用が半永久的な持続性に優れて好ましいものとなる。
【０００８】
作業中に発生する汗は作業内容や当時の気温などに影響され、且つ汗の分解臭から出る不快臭の発生量は、夫々れ個人差によって大小があるのであるが本考案者は日中の８時間労働を対象にして、多数の人々による実験結果からして、上記の不快臭を平均的に消滅させる必要の布片面積を一着当たり１３０ｃｍ２〜２０００ｃｍ２（好ましくは１２００ｃｍ２）と算出する結論に到達した。而して、これが１３０ｃｍ２以下では不快臭を消滅させることが難しいのであり、２０００ｃｍ２以上では不快臭の消滅には充分すぎるが、コストアップにつながる問題があって好ましくないのである。
【０００９】
ところで、上記に関し、上衣一着当たりの生地使用面積を比較すると、次の通りとなる。即ち、全体を消臭布地となしたものと、各ポケット部の袋布や股当て部と脇下箇所などに対し上記消臭布片を使用して本考案の構成となしたものとの生地面積比は凡そ９：１となるのであり、従ってこのさい最大面積２０００ｃｍ２の消臭布片（５００円／ｍ）を使用したとしても、そのコストアップ額は僅か７０円程度にとどめることができるのである。
【００１０】
本考案は以上の通り、汗や悪臭が発生しやすい部位、即ち腰周りや股下近辺に対し、消臭機能を呈する布片をピンポイント的に配置し、経済コスト的に安価な長裾ズボンを市販に供することのできるのであり、運動中や作業中脚部や腹部にこもる不快臭を効率良く消臭して快適な佩き心地が得られるものとなる。上記実施例では作業用上衣について説明したが、登山着などの使用も可能であって、本考案の実施の範囲内とする。
【図面の簡単な説明】
【００１１】
【図１】本考案に係る作業用上衣の概略説明図である。
【符号の説明】
【００１２】
１      胸ポケット
２      脇ポケット
３      脇下当て部
ｐ      消臭布片
【図１】
0003116707.tif 000003
(57)【要約】【課題】  経済的に安価で効果的に消臭機能を発揮できるつなぎ服の提供。【解決手段】  上着とズボンとが一体となっている衣服において、不快臭を消滅させるに必要な消臭機能を有する消臭布片の一個若しくは複数個を上記衣服内面に縫着し、該消臭布片の面積合計が、２６０ｃｍ２以上３６００ｃｍ２以下となるようにする。このさい、胸や腰部などのポケットに於ける衣服内面の袋布地を上記消臭機能を有する消臭布片を使用するのであり、また必要に応じ股部分や両脇部分にも消臭布片を設けたりする。【選択図】      図１
0003116705.tif 000002
【実用新案登録請求の範囲】
【請求項１】
上着とズボンとが一体となっている衣服において、不快臭を消滅させるに必要な消臭機能を有する消臭布片の一個若しくは複数個を上記衣服内面に縫着し、該消臭布片の面積合計が、２６０ｃｍ２以上３６００ｃｍ２以下であることを特徴とするつなぎ服。
【請求項２】
請求項１に記載の衣服であって、胸や腰部などのポケットに於ける衣服内面の袋布地を上記消臭機能を有する消臭布片を使用したことを特徴とするつなぎ服。
【請求項３】
請求項１又は２に記載の衣服であって、股部分に上記消臭機能を有する消臭布片の股当て（シック）を縫着させたことを特徴とするつなぎ服。
【請求項４】
請求項１，２，３の何れか１つに記載の衣服であって、両脇部に上記消臭機能を有する消臭布片の脇当てを縫着させたことを特徴とするつなぎ服。
【考案の詳細な説明】
【技術分野】
【０００１】
本考案は労働者が使用する作業用のつなぎ服に関する。
【背景技術】
【０００２】
上記つなぎ服は専ら狭い場所や寝転んで作業するさいに適しているのであり、このことは上衣とズボンとが一体化している関係上、とりわけ汗等の分解臭から発生する悪臭がこもりやすいものとなる。
【特許文献１】実開平７−０４０５６５号
【特許文献２】特開２００３−０００４１９
【考案の開示】
【考案が解決しようとする課題】
【０００３】
而して、上記つなぎ服を着用して行う作業中は勿論のこと作業を終えて着替えを行わんとするさい、服内にこもっている悪臭で自らは勿論のこと、周囲を不快にさせる問題が発生する。この問題を防ぐべく消臭機能を備えた服地を使用したつなぎ服は、既に市販に供されているが高価となる。
【課題を解決するための手段】
【０００４】
本考案はつなぎ服全体に市販の消臭布地を使用するのではなく、従来市販のつなぎ服の適所に対し複数個の一定大きさとなした消臭布片を縫着させるものとなすのであり、具体的には胸や腰部などのポケットに於ける衣服内の袋布地に消臭布片を使用するのであり、或いはとりわけ悪臭の発生源をなす両脇下部分や股当て部分（シック）などに対し、凡そ６０ｃｍ２〜１０００ｃｍ２の大きさとなされる消臭布片を使用するのであり、而して全体的な消臭布片の使用面積範囲が２６０ｃｍ２〜３６００ｃｍ２となるようにする。
【考案の効果】
【０００５】
本考案はつなぎ服の布地自体に消臭布地を使用することなく、即ちつなぎ服には必ず取付けられるものとなっている胸や腰部などのポケットに於いて、そのポケットの袋布を消臭布地を使用することにより、衣服内に於ける下腹部や上半身部で発生する悪臭や体臭を効率良く消臭させることのできるものとなすのであり、極めて安価なコストで快適なつなぎ服を作成し、作業環境の改善を図ることができるものとなった。
【０００６】
而して、消臭布片は上記したポケットの袋布地の外に、脇下部や股当て部（シック）などに対し、一定大きさの消臭布片を部分的に縫着させることにより、より優れた消臭効果を奏せしめることのできるものとなすのであり、本考案者の幾多実験結果によれば一片当たりの消臭布片の大きさを凡そ６０ｃｍ２〜１０００ｃｍ２となしたものが、その取扱いと縫着上から最も優れ、またその消臭布片の総体的な使用面積を２６０ｃｍ２〜３６００ｃｍ２の範囲とすることで、経済的な安価コストで且つ充分な満足度の消臭機能が得られることが解った。
【考案を実施するための最良の形態】
【０００７】
図１はつなぎ服の概略説明図であって、１は胸ポケット、２は腰ポケットである。本考案では該つなぎ服の胸ポケット１や腰ポケット２などに於ける内面側の袋布片（図示一点鎖線）に消臭機能を有する布片Ｐを使用する。また、必要に応じ両脇下３や股当て箇所４に対しても同様の消臭布片ｐを当接して縫着させるのである。
【０００８】
上記消臭布片ｐは一片当たりの大きさが凡そ６０ｃｍ２〜１０００ｃｍ２となされるのである。ここで消臭機能を有する布片とは、（社）織物評価技術協議会が定める方法によるアンモニアガスの初発濃度１００ｐｐｍにて、２時間後のガス減少率が７０％以上あるものとするのであり、当該布地片としては一般的に消臭剤を練り込んだ繊維や糸を一部若しくは全部使用して作成される織物、編物、不織布などであるが、とりわけセルローズ繊維にメタクリル酸をグラフト共重合反応させた改質繊維で織成させたもの（デオロン商標名）の使用が半永久的な持続性に優れて好ましいものとなる。
【０００９】
つなぎ服は特に夏場の作業で熱気が服内へこもり易いのであり、そのさい汗の量や汗の分解臭から出る不快臭の発生量は、夫々れ個人差によって大小があるが本考案者は日中の８時間労働を対象にして、多数の人々による実験結果からして上記の不快臭を平均的に消滅させる必要の布生地面積を一着当たり２６０ｃｍ２〜３６００ｃｍ２（好ましくは１８００ｃｍ２）と算出する結論に到達した。而して、これが２６０ｃｍ２以下では不快臭を消滅させることが難しいのであり、３６００ｃｍ２以上では不快臭の消滅には充分すぎるが、コストアップにつながる問題があって好ましくないのである。
【００１０】
ところで、上記に関する本考案構成のものとつなぎ服一着当たりの生地使用面積を比較すると、次の通りとなる。即ち、全体を消臭布地となしたものと、各ポケット部の袋布や股当て部と脇下箇所などに対し上記消臭布片を使用して本考案の構成となしたものとの生地面積比は凡そ１３：１となるのであり、従ってこのさい最大面積３６００ｃｍ２の消臭布片（５００円／ｍ）を使用したとしても、そのコストアップ額は僅か１２０円程度にとどめることができるのである。
【００１１】
本考案は以上の通り、作業中に汗や悪臭が発生しやすい部位、即ち腰周り、股周り、胸周りや脇下近辺に対し、消臭機能を呈する布片をピンポイント的に配置し、経済コスト的に安価なつなぎ服を市販に供することのできるものとなすのであり、作業中の作業者内にこもる不快臭を効率良く消臭して作業環境を改善し、且つ作業性能の向上に寄与すること大ならしめるものである。
【図面の簡単な説明】
【００１２】
【図１】本考案に係るつなぎ服の概略説明図である。
【符号の説明】
【００１３】
１      胸ポケット
２      腰ポケット
３      脇下
４      股当て
ｐ      消臭布片
【図１】
0003116705.tif 000003
(57)【要約】      （修正有）【課題】経済的に安価で効果的に消臭機能を発揮できる長裾ズボンの提供。【解決手段】ポケットの裏布袋体に消臭布地を使用する。このさい、股当て部や腰裏帯地などにも消臭布地を使用したりする。消臭布地の面積合計は１３０ｃｍ２〜２５００ｃｍ２にする。【選択図】図１
0003116706.tif 000002
【実用新案登録請求の範囲】
【請求項１】
ポケットの裏布袋体に消臭布地を使用したことを特徴とする長裾ズボン。
【請求項２】
股当て部や腰裏帯地などに消臭布地を使用したことを特徴とする請求項１記載の長裾ズボン。
【請求項３】
消臭布地の面積合計を１３０ｃｍ２〜２５００ｃｍ２になしたことを特徴とする請求項１又は２記載の長裾ズボン。
【考案の詳細な説明】
【技術分野】
【０００１】
本考案は専ら運動用、作業用の長裾ズボンに関する。
【背景技術】
【０００２】
上記運動用、作業用などの長裾ズボンはとりわけ夏季の着用中、汗等の分解臭や排泄物から発する悪臭が付着しやすいものとなる。これがために消臭機能を呈する服地を使用した長裾ズボンは、既に市販に供されるものとなっている。
【特許文献１】実用新案登録第３１０９７２５号
【考案の開示】
【考案が解決しようとする課題】
【０００３】
上記の市販に供されている長裾ズボンは、ズボン全体に消臭布地を使用したりするのでコスト高になり、展開用途が限定されてしまう問題があった。
本考案は不快臭を効率的に消滅させると共に、コスト高を極力軽減させて、汎用性のある長裾ズボンを市販に供せんとするものである。
【課題を解決するための手段】
【０００４】
本考案の長裾ズボンは脇ポケットや腰ポケットなどの裏布袋体に対し、そしてまた股当て部や腰裏帯地などに限定して、消臭布地を使用したものとなすのであり、このさい上記で使用する消臭布地は凡そ６０ｃｍ２〜１０００ｃｍ２のものが、その取扱いと縫着上から優れており、且つその面積合計は１３０ｃｍ２〜２５００ｃｍ２となるようにするのである。
【考案の効果】
【０００５】
本考案は長裾ズボンに於ける左右側脇ポケットや腰ポケットなどの裏布帯体を、少なくとも消臭布地を使用するものとなすのであり、また必要に応じて股当て部や腰裏帯地に消臭布地を当接したり縫着したりするピンポイント使用の構成で経済的に安価、且つ効率の良い消臭作用効果が図られるものにするのである。とりわけ、上記の左右脇ポケットや腰ポケットの裏布袋体は凡そ腰部全体を取巻くように配置されているものであることから、下腹部から発生する汗や悪臭の効果的な消臭効果が発揮されるものとなる。
【考案を実施するための最良の形態】
【０００６】
図１は本考案に係る長裾ズボンの概略説明図であって、Ａは正面図、Ｂは背面図である。ここに１は左右の脇ポケット、２は腰ポケットであって、本考案では上記各ポケットのズボン内に於ける裏布全体（図示一点鎖線）に消臭機能を有する消臭布片ｐを使用する。また、必要に応じて股当て箇所３へ消臭布片ｐを縫着したり、或いは腰裏帯地４を消臭布地で作成したりする。
【０００７】
上記消臭布片ｐは一片当たりの大きさを凡そ６０ｃｍ２〜１０００ｃｍ２になしたものが取扱い容易である。ここで消臭機能を有する布片とは、（社）織物評価技術協議会が定める方法によるアンモニアガスの初発濃度１００ｐｐｍにて、２時間後のガス減少率が７０％以上あるものとするのであり、当該布地片としては一般的に消臭剤を練り込んだ繊維や糸を一部若しくは全部使用して作成される織物、編物、不織布などであるが、とりわけセルローズ繊維にメタクリル酸をグラフト共重合反応させた改質繊維で織成させたもの（デオロン商標名）の使用が半永久的な持続性に優れて好ましいものとなる。
【０００８】
半ズボンは兎も角、長裾ずぼんは夏場の作業で特に熱気が脚部や腰部へこもり易いのであり、そのさい汗の量や汗の分解臭から出る不快臭の発生量は、夫々れ個人差によって大小があるが本考案者は日中の８時間労働を対象にして、多数の人々による実験結果からして、上記の不快臭を平均的に消滅させる必要の布生地面積を一着当たり１３０ｃｍ２〜２５００ｃｍ２（好ましくは１２００ｃｍ２）と算出する結論に到達した。而して、これが１３０ｃｍ２以下では不快臭を消滅させることが難しいのであり、２５００ｃｍ２以上では不快臭の消滅には充分すぎるが、コストアップにつながる問題があって好ましくないのである。
【０００９】
ところで、上記に関する本考案構成のものと長裾ズボン一着当たりの生地使用面積を比較すると、次の通りとなる。即ち、全体を消臭布地となしたものと、各ポケット部の袋布や股当て部と脇下箇所などに対し上記消臭布片を使用して本考案の構成となしたものとの生地面積比は凡そ８：１となるのであり、従ってこのさい最大面積２５００ｃｍ２の消臭布片（５００円／ｍ）を使用したとしても、そのコストアップ額は僅か８０円程度にとどめることができるのである。
【００１０】
本考案は以上の通り、汗や悪臭が発生しやすい部位、即ち腰周りや股下近辺に対し、消臭機能を呈する布片をピンポイント的に配置し、経済コスト的に安価な長裾ズボンを市販に供することのできるのであり、運動中や作業中脚部や腹部にこもる不快臭を効率良く自動消臭する快適製品となるのである。
【図面の簡単な説明】
【００１１】
【図１】本考案に係る長裾ズボンの概略説明図である。
【符号の説明】
【００１２】
１      脇ポケット
２      腰ポケット
３      股当て部
４      腰裏帯地
ｐ      消臭布片
【図１】
0003116706.tif 000003
(57)【要約】      （修正有）【課題】犬の散歩時における糞便を処理しやすく、携帯にも便利な、折りたたみ式の犬糞便器を提供する。【解決手段】底面と外枠７よりなる箱に庇４を設ける。底面の中間部に箱を折り曲げることができるように折り目５をいれる。庇は、箱を微調整する役目、手を汚さない役目、箱を折り曲げて糞をビニール袋にいれるとき、いれやすい役目、風の強いときにも、箱がとばされない役目をもつ。【選択図】図１
0003115954.tif 000002
【実用新案登録請求の範囲】
【請求項１】
底面と外枠よりなる箱の左右の外枠の上部に庇（４）を設け、底面の中間部分で折り曲げて丸められるようにし、犬糞を箱に収容しやすくした折りたたみ式犬糞便器。
【請求項２】
底面と外枠よりなる箱の左右の外枠の下部に庇（４）を設け、底面の中間部分で折り曲げて丸められるようにし、犬糞を箱に収容しやすくした折りたたみ式犬糞便器。
【考案の詳細な説明】
【考案の詳細な説明】
【技術分野】
【０００１】  本考案は、犬の散歩時における糞便を処理しやすく、携帯にも便利な、折りたたみ式の犬糞便器に関するものである。
【背景技術】
【０００２】  犬の外出散歩時、糞便処理にわずらわされる。その際、古新聞を持参しそれを広げ受けるが、うまく受けることが難しい、また用便後、糞の入った新聞紙を丸めるとき、飼い主の手に糞が触れたり、下へおちたりしてしまいがちである。糞を外へ行かない枠がないし、丸めるようには不むきであるからである。その他、スコップを持参したりする方法もあるが、スコップをいつも清潔にしておかねばならないし、携帯するのに、かさだかく糞を処理した後も、糞の入ったビニール袋とスコップの両方を持って帰宅しなければならない不便さがある。
地面に糞をさせて、それをつかみとる道具もあるが、携行するには、大きすぎ、また清潔に保つための手間をかけねばならない不便さがある。
ビニール袋を手袋のようにして、地面に脱糞させた糞をつかみとる方法もあるが、地面が汚れ、手に嫌な感触もつたわり万人むきではない。
【考案の開示】
【考案が解決しようとする課題】
【０００３】  犬の糞便を容器にきちんと受けとり、それを丸めるのもやりやすく、しかも手も汚さず、持参のビニール袋に収めることが可能で、しかも、かさばらず携帯にも適している、そういう犬糞便器が、本考案の課題である。
【課題を解決するための手段】
【０００４】  本考案は、底面と外枠よりなる箱の、左と右に箱より外へ、庇をとりつける。また、箱の中間部に折りたたみやすくするための、折り目を１本あるいは数本いれておく、箱の外枠の四隅は、未使用時の保管に、かさばらないようにするため折り目をつけておく。
【考案の効果】
【０００５】  本考案のように箱の左右に庇を設けると次のような良い効果をえる。
犬は脱糞直前せわしなく動く前兆行動がある。庇は、三角形なので、犬の足の間にすばやく滑りこませることができる。そしてその庇をもって、脱糞に最適な位置を微調整できる。この庇がないと容器の枠をもって微調整しなければならず、そうすると犬の肛門と手が近ずきすぎて手を汚すことにもなるが、庇があればそれは防げる。
また庇を箱形容器の下部にとりつければ、足で庇を踏みつけて脱糞中待機できるので、冬の風の強い時期には重宝する。
箱形容器の中間部に短辺に平行して折り目をつけた場合、左右の庇を合わせて容器を折りたたむことが簡単にできて持参したビニール袋に収容しやすい。
箱形容器の外枠の四隅に折り目をつけておけば本考案の便器は、一枚の板状となり保管にかさばらず便利である。
以上のように数多くの利点をもつのが本考案である。
【考案を実施するための最良の形態】
【０００６】  長方形の箱（１）の短辺（２）の部分に庇（４）を三角形で設ける。
箱の中間部に内側に折りたためるように外枠からつづけて折り目（５）を、つける。箱の四隅に折り目をつける。
【実施例１】
【０００７】  長方形の箱（１）の短辺（２）の上部に庇（４）を三角形で設ける。
箱の中間部に内側に折りたためるよう外枠（７）からつづけて折り目（５）をつける。折り目は長辺（３）に平行としたものである。
箱の四隅に折り目（６）をいれるが、保管にかさばらないようにするために、折り目（６）をいれる。
【実施例２】
【０００８】  長方形の箱（１）の短辺（２）の下部に庇（４）を三角形で設ける。
箱の中央に、内側に折りたためるよう外枠（７）から折り目（５）をいれる。折り目は、短辺に平行の折り目（５）としたもので、こうした折り目をいれることで、左と右の庇（４）を合わせることにより、箱を２つに折りたたためる。箱の四隅の折り目（６）は、保管にかさばらないようにするために、折り目（６）をいれる。
【図面の簡単な説明】
【０００９】
【図１】  本考案の実施例１の斜視図
【図２】  本考案の実施例２の斜視図
【図３】  本考案の実施例２の使用状態の斜視図
【図４】  本考案の実施例２の使用後の状態の斜視図
【図５】  本考案の実施例１の折りたたんだ時の平面図
【符号の説明】
【００１０】  １  長方形の箱
２  短辺
３  長辺
４  庇
５  折り目
６  四隅の折り目
７  外枠
８  犬糞
【図１】
0003115954.tif 000003
【図２】
0003115954.tif 000004
【図３】
0003115954.tif 000005
【図４】
0003115954.tif 000006
【図５】
0003115954.tif 000007
(57)【要約】      （修正有）【課題】ティッシュケースは平置きが多いがために場所をとり、枕元周辺が片付かない。【解決手段】ティッシュケースの上部に二本ベルトを設けて吊るして使う。ケースの両脇にポケットを設けたことにより小物等が収納できる。【選択図】図１
0003115956.tif 000002
【実用新案登録請求の範囲】
【請求項１】
ティッシュケースの上部に、二本のベルトとケースの両脇に収納用のポケットを設けたことを特徴とするティッシュケース。
【請求項２】
柵や棚などに二本のベルトを使い、吊るすことを特徴とする請求項１記載のティッシュケース。
【考案の詳細な説明】
【技術分野】
【０００１】この発明は、ティッシュ箱を収納するためのティッシュケースの形状に関する。
【背景技術】
【０００２】従来のティッシュケースはティッシュ箱を覆い平置きするものが多い。
【考案の開示】
【考案が解決しようとする課題】
【０００３】しかしながら、以上の技術によればティッシュケースは平置きが多いがために場所をとり枕元あたりが片付かない。
そこで、この発明は場所をとらず小物も収納できるティッシュケースを提供することを課題とする。
【課題を解決するための手段】
【０００４】以上の課題を解決するために、第一発見はティッシュケースの上部に二本ベルトを設け、吊るして使用することを特徴とした。
また、第二発見はティッシュケースの両脇にポケットを設け小物などを収納することを特徴とするティッシュケースである。
【考案の効果】
【０００５】従来のティッシュケースは平置きタイプと縦に吊るすタイプがあるが、ベッドの枕元周辺にティッシュケースを置くと邪魔になる。ケースの上部に二本ベルトを付けベッド柵のパイプなどにこのティッシュケースのベルトを固定して使用すれば邪魔にならずティッシュペーパーも取り出しやすい。
それにベッドの角度を上げる時にも滑って落ちてくることがないので、その度にサイドテーブル等の別の場所に移動させる必要もない。
そして、ティッシケースの両脇にポケットを設けたことにより眼鏡、腕時計、リモコン等の小物は使用時以外は収納でき、使用時にはすぐ手が届き、落としたり紛失することもなくなる。
【考案を実施するための最良の形態】
【０００６】この発明の一実施形態を図１に示す。
ティッシュ箱と同等のティッシュケースを作り、ケースの前面上部にベルト２，３を付け、ベッド柵のパイプ１をまたぎながら背部にまわしマジックテープでとめる。
【実施形態の効果】
【０００７】この実施形態によればベルト２，３を柵のパイプ１にとめることに依って、柵にケースを吊るすことが出来る。
ケースの両脇にあるポケット    ケースの両脇にあるポケット４，５を設けたことにより小物等が収納でき、紛失を防ぐとともに枕元周辺を整然とすることが出来る。ペーパーの取り出し口６も顔が横を向いた時に目線の高さに合い取り出しやすくなる。
【図面の簡単な説明】
【０００８】
【図１】  この発明の一実施形態を示す正面図である。
【符号の説明】
【０００９】１  ベッド柵          ２、３  ベルト          ４，５  ポケット
６  ティッシュペーパー取り出し口
【図１】
0003115956.tif 000003
(57)【要約】      （修正有）【課題】剥離紙と一体となった粘着テープ・シートを道具を用いず容易に直線的に切ることを可能とする剥離紙を提供する。【解決手段】幅の狭い粘着テープにあってはこれを横断する方向で通常のミシン目を入れる。幅の広い粘着テープやシート状の粘着テープには樹枝状のミシン目を入れる。これにより縦・横いずれかの直線方向で切れる。適用できる範囲は、粘着テープ・シート本体の素材に可塑性が十分にあり、且つまた本体の素材が強度的に指先でちぎれる程度のものに限る。【選択図】図１
0003115959.tif 000002
【実用新案登録請求の範囲】
【請求項１】
等間隔にミシン目を入れた粘着テープ・シートの剥離紙。
【考案の詳細な説明】
【技術分野】
【０００１】  この考案は、剥離紙と一体となっている粘着テープ・シートの切離しの利便性を高める、剥離紙に関するものである。
【背景技術】
【０００２】  従来、剥離紙と一体となって切離して使う粘着テープ・シートの剥離紙には適当な連続するミシン目がなかった。
【考案の開示】
【発明が解決しようとした課題】
【０００３】  両面テープを代表例にして、これを切り離す従来の方法をまとめると、（１）ちぎる方法、（２）ナイフ・カッターなどの刃物で切る方法、（３）鋏で切る方法の三つの方法を採用したが、（１）の方法だと剥離紙が硬く指先に労力の負担がかかること及び粘着テープが真直に切れにくい難点があった。（２）及び（３）の方法だと粘着性を有する両面テープ本体に刃物が食込んで作業性が悪く且つ又、刃物に粘着物が付着して、刃物そのものの継続的使用に支障をもたらすことがあった。
本考案は、以上のような欠点をなくす、あるいは軽減するためになされたものである。
【課題を解決するための手段】
【０００４】  等間隔に、且つ連続的にミシン目を入れることにより製作される粘着テープの剥離紙である。
【考案の効果】
【０００５】  剥離紙と一体となった粘着テープを両指で千切るようにして切ると（０００３）の（１）の方法により楽に真直ぐに切離すことができる。
【考案を実施するための最良の状態】
【０００６】  以下、本考案の実施例について説明する。
幅の狭い粘着テープにあってはこれを横断する方向で通常のミシン目を入れる。
幅の広い粘着テープやシート状の粘着テープには樹枝状のミシン目を入れる。
これにより縦・横いずれかの直線方向で切れる。
本考案の適用できる範囲は、粘着テープ・シート本体の素材に可塑性が十分にあり、且つまた本体の素材が強度的に指先でちぎれる程度のものに限る。また可塑性は十分にあるが変形により割れたりするガラスのような素材には適用できない。
【図面の簡単な説明】
【０００７】
【図１】  本考案の斜視図である。
【図２】  本考案の平面図である。
【図３】  本考案の平面図である。
【符号の説明】
【０００８】      １  粘着テープ本体
２  剥離紙に施されるミシン目
３  剥離紙の切れる方向（矢印方向）
４  剥離紙の切れる幅
【図１】
0003115959.tif 000003
【図２】
0003115959.tif 000004
【図３】
0003115959.tif 000005